【手続補正書】
【提出日】令和3年4月12日(2021.4.12)
【手続補正１】
【補正対象書類名】特許請求の範囲
【補正対象項目名】全文
【補正方法】変更
【補正の内容】
【特許請求の範囲】
【請求項１】
スマートワードローブの制御方法であって、
ワードローブに予め入れられる各衣類には衣類の識別タグが設けられており、スマートワードローブは識別装置と制御装置を含み、前記識別装置は前記識別タグの唯一のタグ情報を読み取り、前記制御装置は、第１の規則に基づいて衣類情報を解析し、前記第１の規則には、前記唯一のタグ情報と衣類情報との対応関係が含まれていることを特徴とする方法。
【請求項２】
前記唯一のタグ情報には世界で唯一のコードが含まれており、前記第１の規則には、前記世界で唯一のコードと衣類情報との対応関係が含まれており、前記制御装置は、前記対応関係に基づいて、世界で唯一のタグ情報に対応する衣類情報を取得することを特徴とする請求項１に記載のスマートワードローブの制御方法。
【請求項３】
前記識別タグは、前記唯一のタグ情報を含む図形コードであり、前記識別装置は前記図形コードをスキャンすることで対応する前記唯一のタグ情報を取得し、
前記図形コードはＱＲコード(登録商標)又はバーコードであり、或は、前記識別タグは電子タグであり、内部に前記唯一のタグ情報が記憶されており、前記識別装置は前記電子タグを読み取ることで、内部に記憶されている前記唯一のタグ情報を取得し、
前記識別装置はＲＦＩＤリーダを含み、前記唯一のタグ情報は電子タグのＴＩＤ番号であり、前記第１の規則には前記ＴＩＤ番号と衣類情報との対応関係が含まれており、制御装置は、前記ＲＦＩＤリーダが前記電子タグの前記ＴＩＤ番号を読み取り、前記第１の規則に基づいて対応する衣類情報を取得するよう制御することを特徴とする請求項１又は２に記載のスマートワードローブの制御方法。
【請求項４】
前記スマートワードローブは、前記制御装置と通信接続する情報記憶装置を更に含み、前記情報記憶装置には、前記唯一のタグ情報及び／又は前記唯一のタグ情報に対応する前記衣類の衣類情報が記憶され、
前記第１の規則は前記情報記憶装置に記憶されており、解析時には、前記制御装置が前記情報記憶装置に接続されて、前記識別装置により識別された前記唯一のタグ情報を前記情報記憶装置に送信するとともに、前記情報記憶装置から唯一のタグに対応する衣類情報を取得することを特徴とする請求項１に記載のスマートワードローブの制御方法。
【請求項５】
前記識別タグには、衣類情報コードが記憶される衣類情報コードの記憶領域が含まれており、前記スマートワードローブは、前記記憶領域に記憶されているデータを優先的に読み取り、第２の規則を用いて衣類情報を解析し、解析に成功した場合には、前記衣類情報に基づいて洗濯プログラムを取得するが、解析に失敗した場合には、前記識別タグの前記唯一のタグ情報を取得して、前記第１の規則に基づき衣類情報を解析し、前記第２の規則とは、所定の解析規則に基づいて、前記衣類情報コードに含まれる衣類情報を解析し、前記識別タグ内の前記衣類情報コードは所定の形式で書き込まれ、前記第２の規則には所定の解析規則が含まれており、前記制御装置は、前記所定の解析規則に基づいて、前記衣類情報コードを識別可能な衣類情報に解析することを特徴とする請求項１に記載のスマートワードローブの制御方法。
【請求項６】
前記第２の規則に基づいて衣類情報を解析する際、前記制御装置は、前記識別タグ内の衣類情報が所定の形式で書き込まれているか否かを判断し、所定の形式の場合には、そのまま読み込んで衣類情報を解析するが、所定の形式でない場合、前記制御装置は前記識別タグの前記唯一のタグ情報に基づき、前記第１の規則を用いて衣類情報を解析し、
前記制御装置は、前記第１の規則に基づく衣類情報の解析に失敗した場合、ユーザに対し、前記唯一のタグ情報について対応する衣類情報を編集するとともに、前記唯一のタグ情報とユーザが編集した衣類情報を対応付けて前記第１の規則に追加するよう提示し、次に衣類を識別する際には、ユーザが編集した衣類情報を前記第１の規則に基づき取得し、
前記スマートワードローブは、前記制御装置と通信接続する表示装置を含み、前記表示装置に衣類情報を表示し、
前記衣類情報とは洗濯パラメータに影響する衣類属性情報であり、衣類の色情報及び／又は衣類の材質情報及び／又は衣類の種別情報を含むことを特徴とする請求項５に記載のスマートワードローブの制御方法。
【請求項７】
衣類収納装置、識別装置及び制御装置を含むスマートワードローブの制御方法であって、
前記識別装置は、前記衣類収納装置内の衣類の識別タグを識別し、前記識別タグの唯一のタグ情報を読み取り、前記制御装置は、第１の規則に基づいてワードローブ内の衣類の衣類情報を解析し、前記第１の規則には、前記唯一のタグ情報と衣類情報との対応関係が含まれており、
前記制御装置は、ユーザの着衣条件を取得し、前記着衣条件に基づいてワードローブ内の衣類の衣類情報をデータ分析処理することで、前記着衣条件を満たす着衣を提案することを特徴とする方法。
【請求項８】
前記制御装置は、前記着衣条件に基づいてワードローブ内の衣類の衣類情報を分析することで前記着衣条件を満たす衣類を取得するとともに、コーディネートルールに基づいて少なくとも１つのコーディネートプランを提案し、
前記コーディネートルールには、衣類材質のコーディネートルール、衣類タイプのコーディネートルール、カラーコーディネートルール、スタイルコーディネートルール、流行トレンドコーディネートルールが含まれ、前記衣類情報には、適切な出席シーン、着用に適した季節、着用に適した天気、衣類のタイプ、衣類の材質が含まれ、  前記着衣条件には、出席シーン、適切な季節、適切な天気、適切な温度が含まれることを特徴とする請求項７に記載のスマートワードローブの制御方法。
【請求項９】
前記制御装置は、前記コーディネートルールに基づいて少なくとも１つのコーディネートプランを提案したあと、ユーザが選択した前記コーディネートプランを取得してユーザの着衣の好みを分析するとともに、ユーザの着衣の好みに基づいて、その後に提案する前記コーディネートプランを最適化し、
前記制御装置は、ユーザによる前記コーディネートプランの選択確率に基づいて、ユーザの着衣の好みを判断するとともに、ユーザによる選択確率の高い前記コーディネートプランを優先的に提案し、
、前記制御装置は、前記コーディネートプランを提案する際に、複数の前記コーディネートプランをユーザの選択確率に基づき降順にソートしてユーザに提案することを特徴とする請求項８に記載のスマートワードローブの制御方法。
【請求項１０】
前記唯一のタグ情報には世界で唯一のコードが含まれており、前記第１の規則には、前記世界で唯一のコードと衣類情報との対応関係が含まれており、前記識別装置は、ワードローブ内の衣類の世界で唯一のタグ情報を取得し、前記制御装置は、世界で唯一のタグに基づいて衣類情報を取得し、前記着衣条件に基づいて衣類情報をデータ分析処理することで、前記着衣条件を満たす着衣を提案し、
前記識別タグは、前記唯一のタグ情報を含む図形コードであり、前記識別装置は前記図形コードをスキャンすることで対応する前記唯一のタグ情報を取得し、
前記図形コードはＱＲコード又はバーコードであることを特徴とする請求項７〜９のいずれか１項に記載のスマートワードローブの制御方法。
【請求項１１】
前記識別タグは電子タグであり、内部に前記唯一のタグ情報が記憶されており、前記識別装置は前記電子タグを読み取ることで、内部に記憶されている前記唯一のタグ情報を取得し、
前記識別装置はＲＦＩＤリーダを含み、前記唯一のタグ情報は電子タグのＴＩＤ番号であり、前記第１の規則には前記ＴＩＤ番号と衣類情報との対応関係が含まれており、前記制御装置は、前記ＲＦＩＤリーダが前記電子タグの前記ＴＩＤ番号を読み取り、前記第１の規則に基づいて対応する衣類情報を取得するよう制御することを特徴とする請求項７〜１０のいずれか１項に記載のスマートワードローブの制御方法。
【請求項１２】
前記識別タグには衣類情報コードの記憶領域が含まれており、前記識別装置は、前記記憶領域に記憶されているデータを優先的に読み取り、第２の規則を用いて衣類情報を解析し、解析に成功した場合には前記衣類の衣類情報を取得するが、解析に失敗した場合には、前記識別タグの前記唯一のタグ情報を取得して、前記第１の規則に基づき衣類情報を解析し、
前記第２の規則とは、所定の解析規則に基づいて、前記衣類情報コードに含まれる衣類情報を解析することをいい、
前記識別タグ内の前記衣類情報コードは所定の形式で書き込まれ、前記第２の規則には所定の解析規則が含まれており、前記制御装置は、前記所定の解析規則に基づいて、前記衣類情報コードを識別可能な衣類情報に解析し、
前記第２の規則に基づいて衣類情報を解析する際、前記制御装置は、前記識別タグ内の衣類情報が所定の形式で書き込まれているか否かを判断し、所定の形式の場合にはそのまま読み込んで衣類情報を解析するが、所定の形式でない場合、前記制御装置は前記識別タグの前記唯一のタグ情報に基づき、前記第１の規則を用いて衣類情報を解析することを特徴とする請求項７〜１１のいずれか１項に記載のスマートワードローブの制御方法。
【請求項１３】
前記制御装置は、前記第１の規則に基づく衣類情報の解析に失敗した場合、ユーザに対し、前記唯一のタグ情報について対応する衣類情報を編集するとともに、前記唯一のタグ情報とユーザが編集した衣類情報を対応付けて前記第１の規則に追加するよう提示し、次に解析する際には、ユーザが編集した衣類情報を前記第１の規則に基づき取得することを特徴とする請求項７〜１２のいずれか１項に記載のスマートワードローブの制御方法。
【請求項１４】
前記制御装置は、前記第１の規則及び前記第２の規則に基づく衣類情報の解析のいずれにも失敗した場合、ユーザに対し、前記衣類について対応する衣類情報を編集するとともに、各衣類に衣類番号を１つずつ対応付けるよう提示し、前記制御装置は、衣類番号と衣類情報を対応付けて記憶することで識別不可能衣類データベースを形成し、次に解析する際には、前記制御装置がユーザにより入力／選択された情報を取得し、識別不可能衣類データベースから前記衣類の衣類情報を呼び出し、
衣類番号はユーザが編集した番号であるか、
或いは、衣類番号は、前記制御装置がユーザにより編集された衣類情報を取得したあとに自動的に生成される番号であることを特徴とする請求項７〜１３のいずれか１項に記載のスマートワードローブの制御方法。
【請求項１５】
スマートワードローブの制御方法であって、スマートワードローブが、衣類収納装置、識別装置及び制御装置を含み、前記衣類収納装置に複数の衣類収容領域が設けられている制御方法において、
前記制御装置がユーザの着衣条件を取得すると、前記識別装置は前記衣類収納装置内の衣類の識別タグを識別し、前記制御装置は対応する衣類情報を取得すると、衣類情報に基づいて対応する前記衣類収容領域を取得し、且つ、前記着衣条件に基づいて衣類情報をデータ分析処理することで、前記着衣条件を満たす着衣を提案するとともに、対応する衣類の前記衣類収容領域を取得することを特徴とする方法。
【請求項１６】
前記識別装置が衣類に設けられた前記識別タグを識別すると、前記制御装置は対応する衣類情報を取得して、衣類情報に基づき対応する前記衣類収容領域を提案するとともに、ここに収容するよう提案し、
前記制御装置がユーザの前記着衣条件を取得すると、前記識別装置は前記衣類収納装置内の衣類の前記識別タグを識別し、前記制御装置は対応する衣類情報を取得すると、衣類情報に基づいて対応する前記衣類収容領域を取得し、且つ、前記着衣条件に基づいて衣類情報をデータ分析処理することで、前記着衣条件を満たす着衣を提案するとともに、着衣の提案内の衣類が位置する前記衣類収容領域を表示し、
衣類情報には、衣類の種別、衣類の材質、適切な出席シーン、適切な着用季節、適切な着用天気が含まれ、前記着衣条件には、出席シーン、適切な季節、適切な天気、適切な温度が含まれることを特徴とする請求項１５に記載のスマートワードローブの制御方法。
【請求項１７】
前記衣類収容領域は衣類の種別に基づき区画され、前記制御装置は、衣類の種別に基づいて対応する前記衣類収容領域を提案するとともに、ここに収容するよう提案し、前記制御装置は、ユーザの前記着衣条件を取得したあと、衣類の種別に基づいて対応する衣類が位置する前記衣類収容領域を取得するか、
或いは、前記衣類収容領域は機能に基づき区画され、前記制御装置は、衣類の材質に基づいて対応する前記衣類収容領域を提案するとともに、ここに収容するよう提案し、前記制御装置は、ユーザの前記着衣条件を取得したあと、衣類の材質に基づいて対応する衣類が位置する前記衣類収容領域を取得し、
機能に基づき区画される前記衣類収容領域には、換気収容領域、乾燥収容領域、殺菌収容領域、アイロン収容領域、防虫収容領域が含まれ、
衣類の種別に基づき区画される前記衣類収容領域には、アウター収容領域、下着収容領域、スーツ収容領域、スカート収容領域、パンツ収容領域、上着収容領域が含まれることを特徴とする請求項１６に記載のスマートワードローブの制御方法。
【請求項１８】
前記制御装置は、前記着衣条件に基づいて前記衣類収納装置内の衣類の衣類情報を照合することで前記着衣条件を満たす衣類を取得するとともに、コーディネートルールに基づいて少なくとも１つのコーディネートプランを提案し、且つ、前記コーディネートプラン内の衣類が位置する前記衣類収容領域を表示し、
前記制御装置は、前記コーディネートルールに基づいて少なくとも１つの前記コーディネートプランを提案するとともに、ユーザが選択した前記コーディネートプランを取得して、ユーザが選択した前記コーディネートプラン内の衣類が位置する前記衣類収容領域を表示し、
前記コーディネートルールには、衣類材質のコーディネートルール、衣類タイプのコーディネートルール、衣類材質のコーディネートルール、衣類タイプのコーディネートルール、カラーコーディネートルール、スタイルコーディネートルール、流行トレンドコーディネートルールが含まれることを特徴とする請求項１５又は１６に記載のスマートワードローブの制御方法。
【請求項１９】
前記制御装置は、ユーザが複数のコーディネートプランから選択した前記コーディネートプランに基づいてユーザの着衣の好みを分析し、且つ、ユーザの着衣の好みに基づいて、その後に提案する前記コーディネートプランを最適化し、
前記制御装置は、ユーザによる前記コーディネートプランの選択確率に基づいて、ユーザの着衣の好みを分析するとともに、ユーザによる選択確率の高い前記コーディネートプランを優先的に提案し、
前記制御装置は、複数の前記コーディネートプランをユーザの選択確率に基づき降順にソートしてユーザに提案することを特徴とする請求項１７又は１８に記載のスマートワードローブの制御方法。